【手続補正書】
【提出日】平成19年6月8日(2007.6.8)
【手続補正１】
【補正対象書類名】明細書
【補正対象項目名】特許請求の範囲
【補正方法】変更
【補正の内容】
【特許請求の範囲】
【請求項１】カメラ本体における前側部分を形成する前シャーシ部材と、
前記カメラ本体の後側部分を形成し、前記前シャーシ部材と結合される後シャーシ部材と、
レンズ装置を着脱可能に保持するレンズ保持手段と、
前記前シャーシ部材と後シャーシ部材との間に配置され、受信した光を光電変換する撮像手段と、
前記レンズ保持手段と前記撮像手段との間に配置されるミラーユニットと、
前記レンズ保持手段及び前記撮像手段が取り付けられ、前記前シャーシ部材及び後シャーシ部材のうち、少なくとも一方と結合される主シャーシ部材とから構成され、
前記主シャーシ部材は、前記前シャーシ部材および前記後シャーシ部材のうち前記前シャーシ部材にのみ固定されていることを特徴とするカメラ。
【請求項２】カメラ本体における前側部分を形成する前シャーシ部材と、
前記カメラ本体の後側部分を形成し、前記前シャーシ部材と結合される後シャーシ部材と、
レンズ装置を着脱可能に保持するレンズ保持手段と、
前記前シャーシ部材と後シャーシ部材との間に配置され、受信した光を光電変換する撮像手段と、
前記レンズ保持手段と前記撮像手段との間に配置されるミラーユニットと、
前記レンズ保持手段及び前記撮像手段が取り付けられ、前記前シャーシ部材及び後シャーシ部材のうち、少なくとも一方と結合される主シャーシ部材とから構成され、
前記前シャーシ部材および前記後シャーシ部材は、金属部品であることを特徴とするカメラ。
【請求項３】
前記前シャーシ部材および前記後シャーシ部材が、プレス加工により成形された金属部品であることを特徴とする請求項２に記載のカメラ。
【請求項４】
前記前シャーシ部材および前記後シャーシ部材との間に、電気実装部品を配置し、前記前シャーシ部材および前記後シャーシ部材を電気的グランドと導通させたことを特徴とする請求項２に記載のカメラ。
【請求項５】カメラ本体における前側部分を形成する前シャーシ部材と、
前記カメラ本体の後部分を形成し、前記前シャーシ部材と結合される後シャーシ部材と、
レンズ装置を着脱可能に保持するレンズ保持手段と、
前記前シャーシ部材と後シャーシ部材との間に配置され、受信した光を光電変換する撮像手段と、
前記レンズ保持手段と前記撮像手段との間に配置されるミラーユニットと、
前記レンズ保持手段及び前記撮像手段が取り付けられ、前記前シャーシ部材及び後シャーシ部材のうち、少なくとも一方と結合される主シャーシ部材とから構成され、
ストロボ装置その他のアクセサリが着脱可能なアクセサリ装着部が固定される外装部材を、前記前シャーシ部材および前記後シャーシ部材のうち少なくとも一方に取り付けられた金属製の補強部材により支持したことを特徴とするカメラ。
【手続補正２】
【補正対象書類名】明細書
【補正対象項目名】００１０
【補正方法】変更
【補正の内容】
【００１０】
【課題を解決するための手段】
上記の目的を達成するために、本発明では、カメラ本体における前側部分を形成する前シャーシ部材と、カメラ本体の後側部分を形成し、前シャーシ部材と結合される後シャーシ部材と、レンズ装置を着脱可能に保持するレンズ保持手段と、前シャーシ部材と後シャーシ部材との間に配置され、受信した光を光電変換する撮像手段と、レンズ保持手段と撮像手段との間に配置されるミラーユニットと、レンズ保持手段及び前記撮像手段が取り付けられ、前シャーシ部材及び後シャーシ部材のうち、少なくとも一方と結合される主シャーシ部材とから構成し、上記主シャーシ部材が、前シャーシ部材および後シャーシ部材のうち前シャーシ部材にのみ固定されている。
【手続補正３】
【補正対象書類名】明細書
【補正対象項目名】００１１
【補正方法】変更
【補正の内容】
【００１１】
これにより、レンズ保持手段に装着されたレンズ装置に外力が加わってカメラ本体にこれを変形させるような力が作用しても、フランジバックを決めるレンズ保持手段と撮像手段とがともに主シャーシ部材に取り付けられているため、フランジバックが変化し難い。そして、主シャーシ部材を、前シャーシ部材および後シャーシ部材のうちレンズ装置に近い前シャーシ部材にのみ固定するようにしているため、レンズ装置に加わった外力によるカメラ本体への影響をより少なくすることができる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
なお、前シャーシ部材と後シャーシ部材とを連結する連結部材を設けることにより、カメラ本体全体の強度を高めるようにしてもよい。
【手続補正６】
【補正対象書類名】明細書
【補正対象項目名】００１４
【補正方法】変更
【補正の内容】
【００１４】
なお、主シャーシ部材に、ファインダー光学系（ピント板を含む）と、レンズ装置からの光束を反射してファインダー光学系に導くミラーユニットとを取り付けたり、さらにミラーユニットからの光束を用いて焦点検出を行う焦点検出手段とを取り付けたりして、レンズ装置に加わった外力によって上記２者若しくは３者間の距離が変化することを防止するように構成してもよい。
【手続補正７】
【補正対象書類名】明細書
【補正対象項目名】００１５
【補正方法】変更
【補正の内容】
【００１５】
また、上記の目的を達成するために、本発明の他の側面として、カメラ本体における前側部分を形成する前シャーシ部材と、カメラ本体の後側部分を形成し、前シャーシ部材と結合される後シャーシ部材と、レンズ装置を着脱可能に保持するレンズ保持手段と、前シャーシ部材と後シャーシ部材との間に配置され、受信した光を光電変換する撮像手段と、レンズ保持手段と撮像手段との間に配置されるミラーユニットと、レンズ保持手段及び撮像手段が取り付けられ、前シャーシ部材及び後シャーシ部材のうち、少なくとも一方と結合される主シャーシ部材とから構成し、前シャーシ部材および前記後シャーシ部材が、金属部品である。このように、前シャーシ部材および後シャーシ部材を金属部品で構成することで、これらシャーシ部材を電気的グランドに導通させることにより、これらシャーシ部材の間に電気実装部品を配置した場合にこの電気実装部品から発生してカメラ外部に漏れ出すノイズを低減させることが可能である。
【手続補正８】
【補正対象書類名】明細書
【補正対象項目名】００１６
【補正方法】変更
【補正の内容】
【００１６】
また、上記の目的を達成するために、本発明のさらに他の側面として、カメラ本体における前側部分を形成する前シャーシ部材と、カメラ本体の後部分を形成し、前シャーシ部材と結合される後シャーシ部材と、レンズ装置を着脱可能に保持するレンズ保持手段と、前シャーシ部材と後シャーシ部材との間に配置され、受信した光を光電変換する撮像手段と、レンズ保持手段と撮像手段との間に配置されるミラーユニットと、レンズ保持手段及び撮像手段が取り付けられ、前シャーシ部材及び後シャーシ部材のうち、少なくとも一方と結合される主シャーシ部材とから構成し、ストロボ装置その他のアクセサリが着脱可能なアクセサリ装着部が固定される外装部材を、上記前シャーシ部材および上記後シャーシ部材のうち少なくとも一方に取り付けられた金属製の補強部材により支持する。このように、ストロボ装置その他のアクセサリが着脱可能に装着されるアクセサリ装着部が固定される外装部材を、前シャーシ部材および後シャーシ部材のうち少なくとも一方に取り付けられた金属製の補強部材により支持することで、アクセサリ装着部周辺の強度を高めることが可能となり、またノイズ低減の効果も得られる。
【手続補正９】
【補正対象書類名】明細書
【補正対象項目名】００２３
【補正方法】変更
【補正の内容】
【００２３】
５は前シャーシ１と後シャーシ２の間における両連結シャーシ３，４の間（連結シャーシ３，４に近接する位置）に配置された中央シャーシ（主シャーシ部材）である。この中央シャーシ５には、レンズマウント（レンズ保持手段）６と、後述するミラーユニット３１と、ファインダー光学系（ピント板３２を含む）３３と、撮像素子７と、シャッターユニット１０と、焦点検出ユニット３５とが取り付けられている。また、この中央シャーシ５は、ビス止め部５ａ，５ｂにおいて前シャーシ１にビス１４により固定される。
【手続補正１０】
【補正対象書類名】明細書
【補正対象項目名】００３１
【補正方法】変更
【補正の内容】
【００３１】
ミラーユニット３１は、撮影光路におけるシャッタユニット１０の前側の位置に対して進退（ダウン・アップ）可能なメインミラー３１ａと、このメインミラー３１ａの背後に配置されてメインミラー３１ａに対して展開・折り畳み可能なサブミラー３１ｂと、これらメインミラー３１ａおよびサブミラー３１ｂを駆動する駆動機構（図示せず）とから構成される。
【手続補正１１】
【補正対象書類名】明細書
【補正対象項目名】００４６
【補正方法】変更
【補正の内容】
【００４６】
【発明の効果】
以上説明したように、本発明によれば、レンズ保持手段に装着されたレンズ装置に外力が加わってカメラ本体にこれを変形させるような力が作用しても、フランジバックを決めるレンズ保持手段と撮像手段とがともに主シャーシ部材に取り付けられているため、フランジバックが変化することを防止でき、かつ、主シャーシ部材を、前シャーシ部材および後シャーシ部材のうちレンズ装置に近い前シャーシ部材にのみ固定しているので、レンズ装置に加わった外力によるカメラ本体への影響をより少なくすることができる。
【手続補正１２】
【補正対象書類名】明細書
【補正対象項目名】００４７
【補正方法】削除
【補正の内容】
【手続補正１３】
【補正対象書類名】明細書
【補正対象項目名】００５０
【補正方法】変更
【補正の内容】
【００５０】
また、レンズ保持手段に装着されたレンズ装置に外力が加わってカメラ本体にこれを変形させるような力が作用しても、フランジバックを決めるレンズ保持手段と撮像手段とがともに主シャーシ部材に取り付けられているため、フランジバックが変化することを防止でき、かつ前シャーシ部材および後シャーシ部材を金属部品で構成してこれらシャーシ部材を電気的グランドに導通させるようにして、これらシャーシ部材の間に電気実装部品を配置した場合にこの電気実装部品から発生してカメラ外部に漏れ出すノイズを低減させることができる。
【手続補正１４】
【補正対象書類名】明細書
【補正対象項目名】００５１
【補正方法】変更
【補正の内容】
【００５１】
また、レンズ保持手段に装着されたレンズ装置に外力が加わってカメラ本体にこれを変形させるような力が作用しても、フランジバックを決めるレンズ保持手段と撮像手段とがともに主シャーシ部材に取り付けられているため、フランジバックが変化することを防止でき、かつ前シャーシ部材若しくは後シャーシ部材に金属製の補強部材を取り付け、この補強部材によって、ストロボ装置その他のアクセサリが着脱可能なアクセサリ装着部が固定される外装部材を支持するようにして、アクセサリ装着部の周辺の強度を高めることができるとともに、ノイズ低減の効果も得ることができる。
【手続補正１５】
【補正対象書類名】図面
【補正対象項目名】図３
【補正方法】変更
【補正の内容】
【図３】
2002006380.tif 000001